(57)【要約】【課題】充電時にどの程度の割合で充電が行われているかを簡易的に表示するものであり、各充電方法による充電の効率を確認できる仕組みを提供する。【解決手段】表示部を備える情報処理装置であって、前記情報処理装置の第一の電池残量値を記憶する記憶手段と、前記電池残量値を識別可能な形式で表示部に表示する表示手段と、前記記憶手段で記憶している前記第一の電池残量値と、新たに取得した第二の電池残量値とを比較して、電池残量値の増減を判定する判定手段とを備え、前記表示手段は、前記判定手段で前記第二の電池残量値が前記第一の電池残量値よりも増加していると判定された場合に、前記情報処理装置の電池残量値が増加していることを識別可能な形式で表示し、また、前記判定手段で前記第二の電池残量値が前記第一の電池残量値よりも減少していると判定された場合に、前記情報処理装置の電池残量が減少していることを識別可能な形式で表示することを特徴とする。【選択図】図１
2012139053.tif 000002
【特許請求の範囲】
【請求項１】
表示部を備える情報処理装置であって、
前記情報処理装置の第一の電池残量値を記憶する記憶手段と、
前記電池残量値を識別可能な形式で表示部に表示する表示手段と、
前記記憶手段で記憶している前記第一の電池残量値と、新たに取得した第二の電池残量値とを比較して、電池残量値の増減を判定する判定手段とを備え、
前記表示手段は、前記判定手段で前記第二の電池残量値が前記第一の電池残量値よりも増加していると判定された場合に、前記情報処理装置の電池残量値が増加していることを識別可能な形式で表示し、また、前記判定手段で前記第二の電池残量値が前記第一の電池残量値よりも減少していると判定された場合に、前記情報処理装置の電池残量が減少していることを識別可能な形式で表示することを特徴とする情報処理装置。
【請求項２】
前記表示手段は、前記情報処理装置の電池残量が増加している場合に、前記記憶手段で記憶している前記第一の電池残量値から前記第二の電池残量値までの増加傾向を識別可能な形式で表示し、また、前記情報処理装置の電池残量が減少している場合に、前記記憶手段で記憶している前記第一の電池残量値から前記第二の電池残量値までの減少傾向を識別可能な形式で表示することを特徴とする請求項１に記載の情報処理装置。
【請求項３】
前記情報処理装置に対する充電を受け付ける充電受付手段を更に備え、
前記表示手段は、前記充電受付手段で充電を受け付けるときに、前記情報処理装置の電池残量が増加していることを識別可能な形式で表示することを特徴とする請求項１または２に記載の情報処理装置。
【請求項４】
前記表示手段で前記情報処理装置の前記電池残量値の増減について表示をしたとき、前記第一の電池残量値を消去する消去手段を更に備え、
前記記憶手段は、前記消去手段で消去した前記第一の電池残量値に、前記第二の電池残量値を適用することで前記第一の電池残量値として記憶することを特徴とする請求項１乃至３のいずれか１項に記載の情報処理装置。
【請求項５】
電池残量値を記憶する記憶手段と、表示部とを備える情報処理装置の表示方法であって、
前記情報処理装置の電池残量表示手段が、前記電池残量を識別可能な形式で表示部に表示する表示ステップと、
前記情報処理装置の判定手段が、前記記憶手段で記憶している第一の電池残量値と、新たに取得した第二の電池残量値とを比較して、電池残量値の増減を判定する判定ステップとを含み、
前記情報処理装置において、前記表示ステップが、前記判定ステップで前記第二の電池残量値が前記第一の電池残量値よりも増加していると判定された場合に、前記情報処理装置の電池残量値が増加していることを識別可能な形式で表示し、また、前記判定ステップで前記第二の電池残量値が前記第一の電池残量値よりも減少していると判定された場合に、前記情報処理装置の電池残量が減少していることを識別可能な形式で表示することを特徴とする表示方法。
【請求項６】
電池残量値を記憶する記憶手段と、表示部とを備える情報処理装置を制御するプログラムであって、
前記情報処理装置を、
前記電池残量値を識別可能な形式で表示部に表示する表示手段と、
前記記憶手段で記憶している第一の電池残量値と、新たに取得した第二の電池残量値とを比較して、電池残量値の増減を判定する判定手段として機能させ、
前記表示手段は、前記判定手段で前記第二の電池残量値が前記第一の電池残量値よりも増加していると判定された場合に、前記情報処理装置の電池残量値が増加していることを識別可能な形式で表示し、また、前記判定手段で前記第二の電池残量値が前記第一の電池残量値よりも減少していると判定された場合に、前記情報処理装置の電池残量が減少していることを識別可能な形式で表示させることを特徴とするコンピュータで読み取り実行可能なプログラム。
【発明の詳細な説明】
【技術分野】
【０００１】
本発明は、情報処理装置における表示方法に関するものであり、特に、携帯端末における電池の増減状態の検知方法及び表示方法に関するものである。
【背景技術】
【０００２】
近年における携帯端末（特に携帯電話機）は、通常の使用では取り替え用の電池を携行する必要がない程度に電池消費量が低減している。しかし、使用頻度の高いユーザにとってはまだ不十分である。このため使用中に携帯端末が電池切れになって使用できなくなることを避けるために、電池の残量表示を行なっている。この電池の残量表示を見て電池切れが生じる危険があるかどうかを判断し、電池の残量が少ない場合は、取り替え用の電池と交換するか携帯電話機自身を充電するかを行なっている。
【０００３】
このような運用のために、携帯端末の電池パックの充電操作時に、利用者が充電状況を目視により認識可能な満充電迄の残り時間の表示および満充電報知を行う仕組みが開示されている（例えば、特許文献１）。
【０００４】
また、電池の充電特性から、充電が十分行われないのにもかかわらず１００％充電と誤認し、充電不十分な電池を携帯電話機に使用し、通話中に電池切れを生じさせる問題を解決するための仕組みが開示されている（例えば、特許文献２）。
【先行技術文献】
【特許文献】
【０００５】
【特許文献１】特開２００４−５５４４４号公報
【特許文献２】特開２００１−１０２０９６号公報
【発明の概要】
【発明が解決しようとする課題】
【０００６】
上記特許文献１に開示された技術によれば、利用者は、電池パックの充電状況を定量的に認識することができ、充電状況の確認で高い視認性を得ることが可能であり、また、満充電状態となる充電完了迄の時間的余裕が無い場合や、長時間の使用を必要としない場合等、残り時間がある状態で充電操作を強制的に終了し、満充電ではないものの必要最低限の充電容量で使用することが可能である。
【０００７】
また、上記特許文献２に開示された技術によれば、電池の充電状態をＬＣＤ（Ｌｉｑｕｉｄ  Ｃｒｙｓｔａｌ  Ｄｉｓｐｌａｙ）を一目見るだけで把握できるので、充電不足の電池を使用したために通話途中で電池切れになってしまうようなことがなくなる。また、不揮発性メモリに記憶しておく充電率に対応した充電電圧と充電電流の組み合わせを、ニッケル水素電池やニッカド電池の充電特性からもとめた値を使用することで、ニッケル水素電池やニッカド電池の充電状態表示にも適用可能で、幅広い電池の充電状態表示に使用できる。また、不揮発性メモリに記憶しておく充電率に対応した充電電圧と充電電流の組み合わせを増やすことで、きめ細かい充電状態の表示を行なうことが可能である。
【０００８】
しかしながら、特許文献１や特許文献記載の技術では、正規の充電方法以外（電池式簡易充電機やソーラーパネル等）での充電時に、充電効率をユーザに把握させることが困難である。また、充電効率の低い方法で充電中に携帯端末を使用した場合、充電中にもかかわらず残電力量が減少している状況等も考えられ、これでは効率的な充電を行うことは困難である。
【０００９】
そこで、本発明の目的は、充電時にどの程度の割合で充電が行われているかを簡易的に表示するものであり、各充電方法による充電の効率を確認できる仕組みを提供することである。また、充電方法によっては充電時に端末を使用した場合に、充電しているにもかかわらず電池残量が減っていることが確認できる。状態表示機能付き携帯電話機とその充電状態表示方法を提供することにある。
【課題を解決するための手段】
【００１０】
即ち、本発明は、表示部を備える情報処理装置であって、前記情報処理装置の第一の電池残量値を記憶する記憶手段と、前記電池残量値を識別可能な形式で表示部に表示する表示手段と、前記記憶手段で記憶している前記第一の電池残量値と、新たに取得した第二の電池残量値とを比較して、電池残量値の増減を判定する判定手段とを備え、前記表示手段は、前記判定手段で前記第二の電池残量値が前記第一の電池残量値よりも増加していると判定された場合に、前記情報処理装置の電池残量値が増加していることを識別可能な形式で表示し、また、前記判定手段で前記第二の電池残量値が前記第一の電池残量値よりも減少していると判定された場合に、前記情報処理装置の電池残量が減少していることを識別可能な形式で表示することを特徴とする。
【００１１】
また、本発明において、前記表示手段は、前記情報処理装置の電池残量が増加している場合に、前記記憶手段で記憶している前記第一の電池残量値から前記第二の電池残量値までの増加傾向を識別可能な形式で表示し、また、前記情報処理装置の電池残量が減少している場合に、前記記憶手段で記憶している前記第一の電池残量値から前記第二の電池残量値までの減少傾向を識別可能な形式で表示することを特徴とする。
【００１２】
また本発明において、前記情報処理装置に対する充電を受け付ける充電受付手段を更に備え、前記表示手段は、前記充電受付手段で充電を受け付けるときに、前記情報処理装置の電池残量が増加していることを識別可能な形式で表示することを特徴とする。
【００１３】
また本発明において、前記表示手段で前記情報処理装置の前記電池残量値の増減について表示をしたとき、前記第一の電池残量値を消去する消去手段を更に備え、前記記憶手段は、前記消去手段で消去した前記第一の電池残量値に、前記第二の電池残量値を適用することで前記第一の電池残量値として記憶することを特徴とする。
【発明の効果】
【００１４】
本発明によれば、充電時にどの程度の割合で充電が行われているかを簡易的に表示するものであり、各充電方法による充電の効率を確認できる仕組みを提供することである。また、充電方法によっては充電時に端末を使用した場合に、充電しているにもかかわらず電池残量が減っていることが確認できる。状態表示機能付き携帯電話機とその充電状態表示方法を提供することが可能である。
【００１５】
具体的には、簡易充電器・ソーラーパネル等の充電率の小さい充電方法の場合、使用時に電池増減を確認することで、ユーザに使用を控えさせる等の意思決定を促すこと期待される。また、携帯電話の使用方法（通話やＴＶ視聴など）によって、一定時間内における電池の増減を確認することで、使用方法による増減割合の目安を把握することが期待される。
【図面の簡単な説明】
【００１６】
【図１】本発明の実施形態におけるシステムの構成を示す図である。
【図２】本発明の実施形態における表示制御を示す図である。
【図３】本発明の実施形態におけるシーケンスを示す図である。
【図４】本発明の実施形態におけるフローチャートを示す図である。
【図５】本発明の実施形態における表示制御の例を示す図である。
【図６】本発明の実施形態におけるフローチャートを示す図である。
【図７】本発明の実施形態における携帯端末のハードウエア構成例を示す図である。
【発明を実施するための形態】
【００１７】
以下、本発明の実施の形態を詳細に説明する。
図１は、本発明の実施形態におけるシステム構成図である。本システムは、ディスプレイ管理部１と電源管理部４で構成される。ディスプレイ管理部１とは、携帯端末のディスプレイ３を含めたディスプレイに表示制御を行う部分を示す。電池の増減を電源管理部４から通知されると、表示管理システム２で取得しディスプレイ３に表示する。
【００１８】
電源管理部４は、電池を含めた電池残量増減管理装置７及び電池残量増減監視システム６で電池の残量を検知する部分を示す。電池残量増減管理装置が電池の残量を検知し、電池残量増減監視システムより、ディスプレイ３に通知する。
【００１９】
図１において、１はディスプレイ及び、ディスプレイ表示管理システムを含めたディスプレイ管理部を示す。２は、ディスプレイに表示する内容を管理するディスプレイ表示管理システムを示す。また、３は端末情報を表示するディスプレイ本体を示す。ディスプレイ表示管理システムおよびでょスプレイ本体では、電池残量増減を表示する。４は、バッテリ、電池管理システムを含めた電源管理部を示す。５は、電池残量増減監視システムと電池残量増減監視装置を含む電池管理システムを示す。６は、電池残量の増減を監視する電池残量増減監視システムを示す。７は、電池残量の増減を監視する装置を示す。８は、携帯端末のバッテリ本体を示す。
【００２０】
図７は、携帯端末のハードウェア構成を示す図である。
図７に示すように、携帯端末では、ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。ＲＡＭ２０３は、ＣＰＵ２０１の主メモリ、ワークエリア等として機能する。
【００２１】
ＣＰＵ２０１は、処理の実行に際して必要なプログラム等をＲＡＭ２０３にロードして、プログラムを実行することで各種動作を実現するものである。
【００２２】
また、入力コントローラ（入力Ｃ）２０５は、入力ボタン２０９や不図示のマウス等のポインティングデバイスからの入力を制御する。ビデオコントローラ２０６は、ディスプレイ２１０への表示を制御する。ディスプレイは、ＣＲＴディスプレイでも液晶ディスプレイ等でも構わない。
【００２３】
メモリコントローラ（ＭＣ）２０７は、ブートプログラム、ブラウザソフトウエア、各種のアプリケーション、フォントデータ、利用者ファイル、編集ファイル、各種データ等を記憶するハードディスク（ＨＤ）やフロッピーディスク（登録商標）（ＦＤ）或いはＰＣＭＣＩＡカードスロットにアダプタを介して接続されるコンパクトフラッシュメモリ等の外部メモリ２１１へのアクセスを制御する。通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２４】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００２５】
また、ＣＰＵ２０１は、ディスプレイ２１０上の不図示のマウスカーソル等での利用者指示を可能とする。
【００２６】
本発明を実現するためのプログラムは外部メモリ２１１に記録されており、必要に応じてＲＡＭ２０３にロードされることによりＣＰＵ２０１によって実行されるものである。
【００２７】
さらに、本発明に係わるプログラムが用いる各種データ及び各種テーブルは外部メモリ２１１に格納されており、これらについての詳細な説明は後述する。なお、全ての装置がこれらの構成を備えているわけではなく、必要なものを夫々備えていればよい。
【００２８】
なお、外部メモリ２１１は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００２９】
次に、図２および図５を用いて本実施の形態における携帯端末での画面表示方法について説明をする。図２および図５は、電池残量の増減に表示方法についての一例である。矢印がプラスに行くほど、電池残量が増加していることになる。また、マイナスによるほど、電池残量が減少していることになる。
【００３０】
図２において、２０は、電池の増減状態表示方法のうち増加状態を表しており、ベクトルが本符号を向いている場合電池残量は増加している。２１は、電池の増減の度合を表すベクトルであり、充電中であるが電池残量が減少しているなどの特殊な場合は色で表示する（（例）通常：オレンジ色、特殊：赤色など）。
【００３１】
下記に電池残量減少時の表示例を示す。
例）電池残量値は５分に１回の間隔で取得するとする。電池残量の変化が１％未満の場合ベクトル表示なし、１％から２％の場合１メモリ分のベクトル表示、２％から３％の場合２メモリ分、３％以上の場合３メモリ分のベクトルを表示するとする。８０％から５分後７８％に減少した場合の図は図５のようになる。２２は、電池の増減状態のうち増加状態を表しており、ベクトルが本符号を向いている場合電池残量は増加している。２３は、充電中であることを示すアイコン表示例であり、端末が充電中であれば表示される。
【００３２】
図５もまた、本発明における表示制御の例を示す図であり、電池の増減状態表示方法のうち減少状態を表しており、ベクトル本マイナスの符号を向いている場合電池残量は減少している。２１は、電池の増減の度合を表すベクトルであり、充電中であるが電池残量が減少しているなどの特殊な場合は色で表示する。
【００３３】
図５は電池残量値の変化が電池残量ＭＡＸ時の１％未満の場合、ベクトル表示なし、１％から２％の場合１メモリ分のベクトル表示、２％から３％の場合２メモリ分、３％以上の場合３メモリ分のベクトルを表示すると、８０％から７８％のように２％減少した場合の図である。
【００３４】
図３は、本実施の形態における電池残量表示処理のシーケンスチャートである。本シーケンスチャートは、外部メモリに格納された本発明のプログラム（表示管理システム２、電池管理システム５）が、携帯端末のＲＡＭをワークエリアとしてＣＰＵが実行することにより実現される。
【００３５】
まず、ステップＳ１０１において、電池管理システムがバッテリー８より電池残量を取得する。電池残量を取得した電池管理システムでは、ステップＳ１０２において、メモリ２１１に記憶されている、前回保持した電池残量と、今回取得した電池残量を比較し、差分を取得する。差分の取得が完了すると、ステップＳ１０３では、差分より前回値からの増減傾向を計算し、ステップＳ１０５で表示管理システムに通知する。
【００３６】
表示管理システムは、電池残量の前回分からの差分を取得すると、ステップＳ１０７において、ディスプレイに表示制御を行い、ディスプレイが電池残量の表示をする。携帯端末の使用中は、この一連の処理を一定間隔で繰り返し行い制御する。
【００３７】
図６は、本発明の実施形態におけるフローチャートである。端末が充電中かチェックを行い、充電中であれば、充電中アイコンを表示させる。図６もまた、情報処理装置（携帯端末）における電池残量取得処理の制御の一例を示すフローチャートである。本フローチャートは、外部メモリに格納された本発明のプログラムが、携帯端末のＲＡＭをワークエリアとしてＣＰＵが実行することにより実現される。
【００３８】
ステップＳ７０１からステップＳ７０６において、前回電池残量と現在電池残量との比較処理をループして行う。
ステップＳ７０２では、携帯端末が充電中か否かをチェックする。具体的には、電源充電口（不図示）からアダプタ等を通じて電源が供給されているか否かの確認をする。ステップＳ７０３では、判定の結果充電中の場合、充電中アイコン（図２の２３）を表示する。ステップＳ７０４で、充電中ではないと判定された場合、充電中アイコンは表示しない。ステップＳ７０５では、電池残量増減を表示する（図４のフローチャートの処理を実施する）。
【００３９】
図４は、本発明の実施形態における電池残量取得処理（図６のステップＳ７０５）の詳細フローチャートである。本フローチャートは、外部メモリに格納された本発明のプログラムが、携帯端末のＲＡＭをワークエリアとしてＣＰＵが実行することにより実現される。
【００４０】
はじめに、ステップＳ２０１では、現在の電池残量を取得し保持する。一定間隔で電池残量を取得し続け、前回取得した値と比較する。比較した結果、電池残量が増加している場合は、増加の割合に応じて増加傾向の表示を行う。変化がなかった場合は、変化なしで表示を行う。電池残量が減少している場合は、減少の割合に応じて減少傾向の表示を行う。
【００４１】
まず、ステップＳ４０１では、電池管理システム５が、電源（バッテリー８）にアクセスし、現在の電池残量を保存する。これを前回電池残量とする。
【００４２】
次に、ステップＳ４０２では、一定時間経過後現在の電池残量を再度取得する。これを現在電池残量とする。電池残量取得の間隔（インターバル）は予め携帯端末で設定されているものとする。
【００４３】
ステップＳ４０３からステップＳ４０９において、前回電池残量と現在電池残量との比較処理をループして行う。
【００４４】
ステップＳ４０４では、現在電池残量と前回電池残量を比較する。具体的には、残量パーセンテージの比較をする。ステップＳ４０５では、現在電池残量の方が多い場合、電池残量が増加していると判断し、その増加傾向を図で表示する（例えば、図２のように残量が増加していることを示す、プラス向きのベクトル２１を表示する）。
【００４５】
ステップＳ４０６では、現在電池残量と前回電池残量が同等の場合、電池残量が増減していないと判断し、それを表す表示を行う。現在電池残量と前回電池残量の間に変化がない場合とは、例えば、携帯端末を充電中ではあるが、充電量と同等の電池を通話などで使用している場合がある。この場合、電源供給量と消費量が均衡状態であることから、電池残量の増減は発生しないものとする。
【００４６】
ステップＳ４０７では、前回電池残量の方が多い場合、電池残量が減少していると判断し、その減少傾向を図で表示する（例えば、図５のように残量が減少していることを示す、マイナス向きのベクトル６１を表示する）。
【００４７】
ステップＳ４０８では、次回取得する現在電池残量と比較するために、ステップＳ４０１で記憶していた前回電池残量の値を消去し、代わりに、ステップＳ４０３で取得した現在電池残量を前回電池残量としてメモリ２１１に記憶する。
【００４８】
以上、本発明によれば、充電時にどの程度の割合で充電が行われているかを簡易的に表示するものであり、各充電方法による充電の効率を確認できる仕組みを提供することである。また、充電方法によっては充電時に端末を使用した場合に、充電しているにもかかわらず電池残量が減っていることが確認できる。状態表示機能付き携帯電話機とその充電状態表示方法を提供することが可能である。
【００４９】
具体的には、簡易充電器・ソーラーパネル等の充電率の小さい充電方法の場合、使用時に電池増減を確認することで、ユーザに使用を控えさせる等の意思決定を促すこと期待される。また、携帯電話の使用方法（通話やＴＶ視聴など）によって、一定時間内における電池の増減を確認することで、使用方法による増減割合の目安を把握することが期待される。
【００５０】
即ち、本発明は、表示部を備える情報処理装置であって、前記情報処理装置の第一の電池残量値を記憶する記憶手段（図４のステップＳ４０１）と、前記電池残量値を識別可能な形式で表示部に表示する表示手段（図４のステップＳ４０５〜Ｓ４０７）と、前記記憶手段で記憶している前記第一の電池残量値と、新たに取得した第二の電池残量値とを比較して、電池残量値の増減を判定する判定手段（ステップＳ４０４）とを備え、前記表示手段は、前記判定手段で前記第二の電池残量値が前記第一の電池残量値よりも増加していると判定された場合に、前記情報処理装置の電池残量値が増加していることを識別可能な形式で表示し（ステップＳ４０５）、また、前記判定手段で前記第二の電池残量値が前記第一の電池残量値よりも減少していると判定された場合に、前記情報処理装置の電池残量が減少していることを識別可能な形式で表示（ステップＳ４０７）することを特徴とする。
【００５１】
なお、上述した各種データの構成及びその内容はこれに限定されるものではなく、用途や目的に応じて、様々な構成や内容で構成されることは言うまでもない。
【００５２】
また、本発明は携帯端末（携帯電話など）を用いて実施することを想定して説明を進めたが、本発明の適用例としては、携帯端末に捉われるものではなく、電池パック（図１でいうバッテリー８）を電源供給元として作動する情報処理装置（タブレット端末や、撮像装置）などに適用可能であることは言うまでもない。
【００５３】
また、本発明におけるプログラムは、図３、図４および図６に示すフローチャートの処理方法をコンピュータが実行可能なプログラムであり、本発明の記憶媒体は図３、図４および図６の処理方法をコンピュータが実行可能なプログラムが記憶されている。なお、本発明におけるプログラムは図３、図４および図６の各装置の処理方法ごとのプログラムであってもよい。
【００５４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００５５】
この場合、記録媒体から読み出されたプログラム自体が本発明の新規な機能を実現することになり、そのプログラムを記憶した記録媒体は本発明を構成することになる。
【００５６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００５７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【符号の説明】
【００５９】
１      ディスプレイ管理部
２      表示管理システム
３      ディスプレイ
４      電源管理部
５      電池管理システム
６      電源残量増減監視システム
７      電残残量増減監視装置
８      バッテリー
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信インターフェースコントローラ
２０９  入力ボタン
２１０  ＬＣＤ（ディスプレイ）
２１１  外部メモリ
【図１】
2012139053.tif 000003
【図２】
2012139053.tif 000004
【図３】
2012139053.tif 000005
【図４】
2012139053.tif 000006
【図５】
2012139053.tif 000007
【図６】
2012139053.tif 000008
【図７】
2012139053.tif 000009